(57)【要約】【課題】簡単な装置構成で確実に磁気検知タグの再生ができる磁気検知タグの再生方法、及び磁気検知タグの再生装置を提供する。【解決手段】交流電源１２と、前記交流電源と接続されて交流電源１２の供給する交流電力で交流磁界を発生させるコイル１１０とからなる再生装置１００で、軟磁性体層と着磁した硬磁性体層とを有する失効した磁気検知タグ１８の表面に沿って矢印Ｑ方向に掃引することにより、着磁された磁気検知タグ１８を消磁させて再生する。交流電力の周波数は１００〜１００００Ｈｚが好ましい。【選択図】図２
2006195955.tif 000002
【特許請求の範囲】
【請求項１】
コイルに交流電力を印加して発生する交流磁界を、軟磁性体層と硬磁性体層とを有する磁気検知タグに曝しながら、磁気検知タグと交流磁界とのうちの何れか又は両方を移動させることにより、交流磁界中で磁気検知タグを掃引し、着磁した磁気検知タグの硬磁性体層を消磁させる磁気検知タグの再生方法。
【請求項２】
交流電力の周波数が１００〜１００００Ｈｚである請求項１に記載の磁気検知タグの再生方法。
【請求項３】
交流磁界の交流磁界強度が０．０１Ｔ以上である請求項１に記載の磁気検知タグの再生方法。
【請求項４】
磁気検知タグの、交流磁界中で掃引される掃引速度が５ｍ／秒以下である請求項１に記載の磁気検知タグの再生方法。
【請求項５】
交流電源と、前記交流電源と接続されて交流電源の供給する交流電力で交流磁界を発生させるコイルとからなる、軟磁性体層と着磁した硬磁性体層とを有する磁気検知タグの再生装置。
【請求項６】
コイルが、円筒状誘電体で形成されたコアであってその軸方向に平行に少なくとも１個の分割溝を有するコアと、前記コアの軸方向に平行な断面に沿ってコア表面に巻回してなる導線とからなる請求項５に記載の磁気検知タグの再生装置。
【請求項７】
コイルが、誘電体を長手方向の中間部で折返して両端側を互いに対向させると共に前記両端側にそれぞれ前記中間部と反対方向に互いに所定間隔離れて突出した突出し部を形成することにより分割溝を構成するコアと、前記コアの幅方向の周りに沿ってコア表面に巻回した導線とからなる請求項５に記載の磁気検知タグの再生装置。
【請求項８】
分割溝の幅が０．１〜２０ｍｍである請求項６又は７に記載の磁気検知タグの再生装置。
【請求項９】
交流電力の周波数が１００〜１００００Ｈｚである請求項６又は７に記載の磁気検知タグの再生装置。
【発明の詳細な説明】
【技術分野】
【０００１】
本発明は、磁界を利用してその存在を検出する磁気検知タグの再生方法、及び磁気検知タグの再生装置に関する。更に詳述すれば、本発明は着磁した磁気検知タグを交流磁界により消磁させて磁気検知タグの再生を行う磁気検知タグの再生方法及び同再生方法に用いる磁気検知タグの再生装置に関する。
【背景技術】
【０００２】
従来、商品等に添付され、商品と共に移動し、所定のゲートを通過する際に検出されることにより商品の管理を行ったり、商品の盗難を防止したりする、磁界利用の磁気検知タグが知られている（例えば特許文献１）。
【０００３】
図４に従来の磁気検知タグの一例を示す。図４中、４０はコバルト元素等を含有する軟磁性体層である。前記軟磁性体層４０の一面にはポリエステル系の接着剤層４２を介して多数の貫通孔４３を形成した硬磁性体層４５が積層されている。硬磁性体層４５は、例えばニッケル等の硬磁性体元素が含有されてなる。硬磁性体層４５の上面には上質紙や、樹脂フィルムからなる保護層４７が貼着されている。
【０００４】
また、前記軟磁性体層４０の他面には粘着剤層４８を介して剥離紙４９が貼着されている。この磁気検知タグの使用に際しては、上記剥離紙４９が剥され、管理されるべき商品等に貼着される。
【０００５】
図５は、磁気検知タグを検出するゲート５０、５２を示すもので、両ゲート５０、５２間に交流磁界Ｙが形成されている。また、両ゲート５０、５２には磁界強度を検出する検出器（不図示）が取りつけられており、前記両ゲート５０、５２間の磁界強度が検出されている。なお、５４は磁気検知タグである。磁気検知タグ５４が商品等（不図示）に取りつけられて矢印Ｘで示されるように両ゲート５０、５２間を通過すると、ゲート５０、５２間に形成されている交流磁界Ｙが歪められる。この交流磁界Ｙの歪みを検出することにより、磁気検知タグ５４がゲート５０、５２間を通過したことが検出される。
【０００６】
図６は、磁界の歪みを検出する具体的方法の一例を示すものである。図６中、（ａ１）は、ゲート５０、５２間に形成する一定周波数の交流磁界の波形を示す。簡単な数学的手法を用いて、時間軸を周波数軸に変換すると（ａ２）に示す波形に変換される。
【０００７】
図６中、（ｂ１）は、磁気検知タグ５４がゲート５０、５２間を通過することにより歪んだ交流磁界の波形を示す。この歪んだ波形を上記と同様にして座標軸変換を行うと、（ｂ２）に示す波形が得られる。（ｂ２）の波形には、交流磁界の歪みに起因する高調波６０、６２が認められる。この高調波の有無を検出することにより、ゲート５０、５２間を磁気検知タグ５４が通過したことの有無が検出される。
【０００８】
例えば、商品等が正規に購入され、外部に搬出されても良い状態になった場合は、この商品等に貼着された磁気検知タグ５４は予め失効される。この失効操作を施すことにより、商品に付着された磁気検知タグ５４がゲート５０、５２内を通過しても磁界が歪められることが無くなる。この結果、商品に貼着された磁気検知タグ５４がゲート通過時に検出されることなく、商品等は外部に持出される。
【０００９】
一方、不正に外部に持出されようとする場合は、磁気検知タグ５４は失効されていない状態にあるので、商品等がゲート５０、５２内を通過すると歪んだ磁界が発生され、これにより不正持出しが検出される。
【００１０】
失効は、図４に示す磁気検知タグの硬磁性体層４５を失効器を用いて着磁することにより達成される。
【００１１】
図７は、従来用いられている失効器の一例を示す。この失効器７０は、基台７２に、直径１２ｍｍの円盤状永久磁石が互いに１０ｍｍ程度の間隔で並べられたもので、各磁石はＮ極７４と、Ｓ極７６とが交互に配列されている。
【００１２】
この失効器７０の上面に図４に記載された磁気検知タグ５４が触れると、硬磁性体層４５が着磁され、これにより磁気検知タグが失効される。
【００１３】
上記磁気検知タグは、使用形態によって、失効させたままでその役割を全うさせる場合と、再生操作を施して再使用を図る場合とがある。例えば、テレビ等の電化製品は、通常購入後各家庭に持帰られ、家庭で使用される。このような製品に付されて使用され、磁気検知タグの回収を必要としない場合がある。このような場合は、磁気検知タグは再生される必要がない。
【００１４】
一方、レンタルビデオに代表されるレンタル商品や、図書館の図書に添付される磁気検知タグのように、貸与された商品や図書がレンタル店や図書館に返却される度にそれらに付されている磁気検知タグが再生され、ゲートで検出され得る状態に戻して使用される必要のある場合がある。
【００１５】
磁気検知タグの再生方法は、その硬磁性体層を着磁状態から消磁状態に磁性特性を変えることにより行う。
【００１６】
従来、再生方法として、指数包絡線の内側で磁界反転毎に磁界を減少させるように磁石を多数配列した磁石アレイを形成し、このアレイに沿って磁気検知タグを移動させることにより消磁させる再生方法が提案されている（特許文献２）。しかしこの方法は、装置構成が煩雑になる。
【００１７】
市販の再生装置としては、磁極を交互に反対にして平行に並べた永久磁石アレイを、電池で駆動するモーターで回転させて交流磁界を形成し、この交流磁界で磁気検知タグを掃引するハンディタイプの再生装置がある（リンテック株式会社製再生装置  商品名  ＥＬ−Ｒ０１）。この再生装置は十分の再生機能を有するが、磁石を回転させる駆動部等を備えているので、機械的に複雑になると共に、駆動部の故障が起きる可能性がある。磁石を回転させる駆動部が故障し、磁石の回転が停止すると、再生装置内の永久磁石により磁気検知タグの硬磁性体層が着磁され、これにより磁気検知タグが失効されてしまう。
【特許文献１】特開平６−３４２０６５（請求項１）
【特許文献２】特表２００２−５２７８３７（請求項１）
【発明の開示】
【発明が解決しようとする課題】
【００１８】
本発明者らは、上記問題を解決するために種々検討するうちに、コイルに交流電力を供給して発生する交流磁界を磁気検知タグの消磁に用いると、磁気検知タグを簡単に再生できること、この方法によれば再生装置は可動部を必要としないため故障も少なく、さらに再生に最適な交流磁界を任意に発生させることができること等を知得した。本発明は上記発見に基づき完成するに至ったものである。
【００１９】
従って、本発明の目的とするところは、上記問題を解決し、簡単な装置構成で確実に磁気検知タグの再生ができる磁気検知タグの再生方法、及び磁気検知タグの再生装置を提供することにある。
【課題を解決するための手段】
【００２０】
上記目的を達成する本発明は、以下に記載するものである。
【００２１】
〔１〕    コイルに交流電力を印加して発生する交流磁界を、軟磁性体層と硬磁性体層とを有する磁気検知タグに曝しながら、磁気検知タグと交流磁界とのうちの何れか又は両方を移動させることにより、交流磁界中で磁気検知タグを掃引し、着磁した磁気検知タグの硬磁性体層を消磁させる磁気検知タグの再生方法。
【００２２】
〔２〕  交流電力の周波数が１００〜１００００Ｈｚである〔１〕に記載の磁気検知タグの再生方法。
【００２３】
〔３〕  交流磁界の交流磁界強度が０．０１Ｔ以上である〔１〕に記載の磁気検知タグの再生方法。
【００２４】
〔４〕  磁気検知タグの、交流磁界中で掃引される掃引速度が５ｍ／秒以下である〔１〕に記載の磁気検知タグの再生方法。
【００２５】
〔５〕  交流電源と、前記交流電源と接続されて交流電源の供給する交流電力で交流磁界を発生させるコイルとからなる、軟磁性体層と着磁した硬磁性体層とを有する磁気検知タグの再生装置。
【００２６】
〔６〕  コイルが、円筒状誘電体で形成されたコアであってその軸方向に平行に少なくとも１個の分割溝を有するコアと、前記コアの軸方向に平行な断面に沿ってコア表面に巻回してなる導線とからなる〔５〕に記載の磁気検知タグの再生装置。
【００２７】
〔７〕  コイルが、誘電体を長手方向の中間部で折返して両端側を互いに対向させると共に前記両端側にそれぞれ前記中間部と反対方向に互いに所定間隔離れて突出した突出し部を形成することにより分割溝を構成するコアと、前記コアの幅方向の周りに沿ってコア表面に巻回した導線とからなる〔５〕に記載の磁気検知タグの再生装置。
【００２８】
〔８〕  分割溝の幅が０．１〜２０ｍｍである〔６〕又は〔７〕に記載の磁気検知タグの再生装置。
【００２９】
〔９〕  交流電力の周波数が１００〜１００００Ｈｚである〔６〕又は〔７〕に記載の磁気検知タグの再生装置。
【発明の効果】
【００３０】
本発明の磁気検知タグの再生方法に於いては、交流電力を用いて交流磁界を発生させているので、磁界強度、周波数を任意に変更でき、磁気検知タグを再生するのに最適の条件を簡単に設定できる。特に、交流電力の周波数を高くする場合には、磁気検出タグの再生がより確実になるが、このような周波数の高い交流磁界の形成は従来の永久磁石のアレイを用いて実現することには限界がある。また、本再生装置は、可動部を持たないので、故障が少なく、更に装置的にも構成が簡単になる。更に、コイルを構成するコアの分割溝近傍をコアの外方に突出す構成とすることにより、タグの再生時に、確実にタグを交流磁界中で掃引出来る。
【発明を実施するための最良の形態】
【００３１】
以下、図面を参照して本発明の一実施形態につき、詳細に説明する。
【００３２】
図１中、１００は本発明の磁気検知タグの再生装置の一例を示す。２は、略円筒状のコアで、その軸方向に沿って分割溝４がコア２の外周面６から内周面８にかけて形成されている。コア２の材質は、フェライト、パーマロイ、センダスト、アモルファス金属等の透磁率の高い材料が制限無く使用できる。またこれらの材料を複数組合わせても良い。分割溝４の幅Ｐは、後述するように、この分割溝４近傍に形成される漏れ磁界により磁気検知タグが消磁される幅であれば特に制限が無いが、通常０．１〜２０ｍｍ程度が好ましく、０．５〜１５ｍｍがより好ましい。
【００３３】
前記コア２には、その軸方向に平行なコアの断面方向に沿ってコア表面に導線１０が巻回され、前記コア２と導線１０によりコイル１１０が形成されている。
【００３４】
前記導線１０の両端は、交流電源１２に接続されている。交流電源１２から供給される交流電力の波形は特に制限が無く、正弦波、矩形波、三角波等任意の形状の交流波形が採用され得る。
【００３５】
交流電力の周波数は、１００Ｈｚ以上が好ましく、３００Ｈｚ以上がより好ましく、５００〜１００００Ｈｚが更に好ましい。
【００３６】
図２は、前記図１で示される再生装置１００を用いて、被着物１６に貼着された磁気検知タグ１８を再生する場合の一例を示している。管理されるべき商品や図書館の図書等の被着物１６には、軟磁性体層（不図示）と硬磁性体層（不図示）とが積層された公知の磁気検知タグ１８が貼着されている。この磁気検知タグ１８は、その硬磁性体層が失効器を用いて既に着磁された状態（失効状態）になっている。
【００３７】
この状態で、再生装置１００の分割溝４を磁気検知タグ１８と対向させ、再生装置１００を磁気検知タグ１８の表面方向に沿って掃引する（本図に於いては矢印Ｑ方向に掃引している）。
【００３８】
この操作により、磁気検知タグ１８は、その掃引方向に沿って順次再生装置１００の分割溝４から漏れ出る交流磁界２０に曝される。その結果、不図示の着磁された硬磁性体層が消磁され、磁気検知タグ１８が再生される。
【００３９】
磁気検知タグ１８と分割溝４との間隔Ｒは、漏れ出る交流磁界２０の強度に関係するが、本例の場合は０．５〜３ｍｍとすることが、操作の便宣上好ましい。
【００４０】
磁気検知タグ１８が曝される交流磁界強度は、掃引速度にも関連するが、通常０．０１Ｔ以上が好ましく、０．０５〜１．０Ｔがより好ましい。０．０１Ｔ未満の場合は、再生が不確実になる場合がある。
【００４１】
掃引速度は、漏れ出る交流磁界２０の周波数に関連する。通常の用手法による再生装置１００の掃引の場合は、交流磁界の周波数を３００Ｈｚ以上にすれば、確実に再生できる。なお、用手法による掃引速度は通常３ｍ/秒以下である。
【００４２】
上記再生装置１００に於いては、コア２は一体に形成した略円筒状のものを使用したがこれに限られず、円筒軸方向に平行に２分割、或はそれ以上の数に分割できるものであっても良い。この場合は、複数の分割したコアにそれぞれ導線を巻回したコイルを複数製造し、最後に複数のコイルを略円筒状に組合わせることにより、能率良く再生装置が製造できる。
【００４３】
更に、再生操作に置いては、再生装置１００を掃引したがこれに限られず、磁気検知タグ１８、又は磁気検知タグ１８を貼着した被着物１６を掃引しても良い。或は、互いに異なる方向に磁気検知タグ１８と再生装置１００との両者を移動させることにより、掃引しても良い。
【００４４】
また更に、磁気検知タグ１８を被着物１６に貼着したが、紐等を用いて被着物１６に取付けたり、ぶら下げても良い。
【００４５】
図８は、本発明に於いて使用するコイルの他の例を示すものである。図８（Ａ）は側面図、図８（Ｂ）は平面図である。
【００４６】
この例において、１２０はコイルである。コア主体８２は、透磁率の高い材料（以下、透磁性材料という。）からなり、コア主体８２の長手方向の中間部８２ａにおいて折曲げられて略Ｕ字状に形成されている。コア主体８２の両端には、それぞれ透磁性材料で形成されたコア板８４ａ、８４ｂが互いに所定間隔離れて接着剤等で接着され、これにより分割溝８５が形成されている。なお、Ｐは、分割溝の幅を表す。前記コア板８４ａ、８４ｂの形状は略長方形で、折曲げ部８６ａ、８６ｂにおいて長方形の一辺に平行に所定角度で折曲げられている。その結果、コア板８４ａ、８４ｂの先端８８ａ、８８ｂはそれぞれコア主体８２の中間部８２ａと反対方向(外側)に突出されている。
【００４７】
前記Ｕ字状のコア主体８２の両端側には、コア主体８２の幅方向に平行にコア主体８２の表面に沿って電気の良導体である導線９０がそれぞれ所定回数巻回されてコイル９２ａ、９２ｂを形成している。なお、これらのコイル９２ａ、９２ｂは直列に接続されている。
【００４８】
このコイル１２０のコア板８４ａ、８４ｂの先端８８ａ、８８ｂはコイル１２０の外側に突出ている。従って、このコイルを採用する再生装置を用いてタグを再生する場合、コア板８４ａ、８４ｂの先端８８ａ、８８ｂをタグに近接させて掃引しやすい。その結果、より確実にタグを再生できる。
【００４９】
コア板８４ａ、８４ｂと、コア主体８２とは個別に製造され、両者は接着されている。構造的には両者は異なる部品の組合わせでであるが、電磁気的には、両者は何れも透磁性材料で構成され、等価的には透磁性材料で一体に製造されたコアと同等の作用を示す。従って、上記図８に示すコア構造を、図９に示すように、コア板８４ａ、８４ｂをコア主体８２に接着する代りに、コア９４の両先端を互いに対向させると共に、その両先端側に外方に突出す突出し部９４ａ、９４ｂをコア９４と一体に形成しても良いことになる。
【００５０】
本発明に於いては、上記以外にも、その他本発明の要旨を変更しない範囲で、種々変形しても良い。
【００５１】
以下、実施例により本発明を更に具体的に説明する。
【実施例】
【００５２】
実施例１
図１に示すように、外径２５ｍｍ、内径１２ｍｍ、高さ３０ｍｍの円筒状フェライトコアをその軸線に沿って２分割した２個の半円筒状フェライトコアに直径０．３５ｍｍの被覆導線をそれぞれ１００回巻回し、２個のコイルを作製した。この２個のコイルを円筒状に重ね合わせると共に、一方の重ね合せ部はフェライトコアの分割端面同士を互いに１ｍｍ離間（幅Ｐ）させて、分割溝４とした。他方の重ね合せ部は、フェライトコア同士を密着させた。更に、２つのコイルの被覆導線を直列に接続すると共に、被覆導線の両端を交流電源に接続して、本発明の再生装置を製造した。
【００５３】
交流電源として、菊水社製ＲＣ  Ｏｓｃｉｌｌａｔｏｒ  ４１８８を使用し、その信号を増幅するためにＡｃｃｕｐｈａｓｅ社製ステレオパワーアンプ  Ｐ３７０を接続したものを用いた。
【００５４】
再生試験例１
軟磁性体層と硬磁性体層とを積層してなるリンテック株式会社製磁気検知タグ（商品名  ＥＰ−Ｄ０１）４個を予め失効器（リンテック株式会社製  商品名  ＥＬ−Ｄ０１）を用いて失効（着磁）させた。実施例１で製造した再生装置を用いて、この失効させた磁気検知タグの表面を掃引した。交流磁界の周波数は、５００Ｈｚ、１ｋＨｚとした。電流は０．５Ａに固定した。掃引速度は、３ｍ／秒であった。掃引中は、磁気検知タグ表面と再生装置の分割溝４との距離Ｒを１ｍｍに保った。
【００５５】
図３に示す磁気特性値測定器を用いて検知タグの磁気特性を測定し、得られる磁気検知タグの磁気特性値により再生装置の性能を評価した。
【００５６】
図３中、３０は直径０．５ｍｍの被覆導線が直径６０ｍｍの円筒状に１８０回巻回された測定コイルで、導線の両端は交流電源３２と接続されている。交流電源３２から測定コイル３０に５ｋＨｚの正弦波電力（電流値０．５Ａ固定）が供給される。測定コイル３０内に挿入された磁気検知タグ３４からの応答信号は測定コイル３０で検出されて電圧測定器３６に送られる。
【００５７】
この測定原理は、図６の磁界歪を検出する方法と同様に説明できる。測定コイル３０内に磁気検知タグ３４を挿入すると、図６（ｂ）のｂ１に相当する、波形の歪んだ交流磁界が発生する。この歪んだ交流磁界に起因する応答信号を測定コイル３０で検出し、これを電圧測定器３６においてフーリエ変換して、時間軸を周波数軸に変換すると、交流磁界の歪に起因する高調波（図６（ｂ）の６０または６２に相当）が認められる。本測定器では１０ｋＨｚの高調波の信号強度を測定し、これを磁気特性値とした。磁気特性値の値が大きいほど、消磁されていることになる。各磁気検知タグにつき、上記失効（着磁）、再生（消磁）、磁気特性値の測定 を５回繰返し、得られた磁気特性値の平均値を算出した。表１に、失効後の磁気特性値、及び再生度を示した。再生度は、再生後の磁気特性値を失効前の磁気特性値で除した値である。
【００５８】
次に、これら再生された４個の磁気検知タグを、順次ゲート（リンテック株式会社製ゲート  商品名  ＥＧ−Ｃ４５）内を通過させた。この場合、４個の磁気検知タグは全てゲートで検出された。
【００５９】
再生比較試験例１
市販の再生装置を用いる以外は上記再生試験例１と同様に操作して、磁気検知タグを再生し、その磁気特性値を測定した。その結果を表１に示した。用いた再生装置は、磁極を交互に反対にして平行に並べた永久磁石アレイを、電池で駆動するモーターで回転させて交流磁界を形成し、この交流磁界で磁気検知タグを掃引するハンディタイプ（リンテック株式会社製再生装置  商品名  ＥＬ−Ｒ０１）のものであった。
【００６０】
次に、再生試験例１と同じゲートを使用して、４個の磁気検知タグを順次ゲート内を通過させた。ゲートを通過した再生比較試験例１の磁気検知タグは、４個すべてがゲートで検出されなかった。
【００６１】
【表１】
2006195955.tif 000003
【００６２】
表１から明らかなように、５００Ｈｚの周波数の交流磁界を用いて磁気検知タグを再生すると、再生度は０．６以上になり、且つゲートを通過した磁気検知タグ４個のすべてが検出され、磁気検知タグが十分再生されていることが分る。即ち、再生度が０．６以上であると磁気検知タグは十分に再生された状態にあり、且つ周波数が高くなるに従って、より完全に再生されることも表１から分る。
【００６３】
再生試験例２
再生試験例１と同様に操作した。但し、交流磁界発生のためにコイルに供給する電流値を０．３〜０．７Ａに変化させた。周波数は１ｋＨｚに固定した。結果を表２に示した。
【００６４】
次に、再生試験例１と同じゲートを使用して、４個の磁気検知タグを順次ゲート内を通過させた。ゲートを通過した４個の磁気検知タグのすべてが検出された。
【００６５】
【表２】
2006195955.tif 000004
【００６６】
表２から明らかなように、コイルに供給する電流値を０．３〜０．７Ａに変化させた場合、再生度は全て０．６以上になった。
【００６７】
なお、上記各例に於ける、分割溝Ｐに発生する交流磁界強度と電流値との間には、表３の関係がある。
【００６８】
【表３】
2006195955.tif 000005
【００６９】
再生試験例３、再生比較試験例２
実施例１で製造した再生装置を用いて、再生試験例１と同様に操作して磁気検知タグを再生した。但し、再生装置の掃引速度は、１ｍ／秒、交流磁界周波数は３００Ｈｚ、５００Ｈｚ、１ｋＨｚとし、また用いた磁気検知タグは、再生試験例１で用いた磁気検知タグをそのまま用いた。なお、交流磁界強度は表３中の、０．５Ａの磁界強度と同じである。
【００７０】
再生比較試験例１と同様にして市販のハンディタイプの再生装置を用いて再生比較試験を行った。再生装置の掃引速度は１ｍ／秒であった。これらの結果を表４に示した。
【００７１】
次に、再生試験例１と同じゲートの中を、上記再生した各磁気検知タグを通過させた。上記再生試験例３及び再生比較試験例２で使用した各４個の磁気検知タグのすべてがゲートで検出された。
【００７２】
【表４】
2006195955.tif 000006
【００７３】
表４から明らかなように、再生試験例３及び再生比較試験例２の何れにおいても磁気検知タグの再生度は０．６以上になった。
【００７４】
実施例２
分割溝の幅Ｐを０．５ｍｍ、及び２．０ｍｍに変更した以外は実施例１に示す再生装置と同様の再生装置を製造した。
【００７５】
再生試験例４
実施例２で製造した再生装置を用いて、再生試験例１と同様に操作して再生試験を行った。但し、再生装置の掃引速度は１ｍ／秒であった。使用した磁気検知タグは表１中の磁気検知タグ番号３のものを使用した。結果を表５に示した。
【００７６】
次に、再生試験例１と同じゲートを使用して、磁気検知タグを順次ゲート内を通過させた。ゲートを通過させた磁気検知タグのすべてがゲートで検出された。
【００７７】
【表５】
2006195955.tif 000007
【００７８】
表５から明らかなように、分割溝の幅Ｐを０．５ｍｍ、及び２．０ｍｍに変化させても、再生度は０．６以上であった。
【００７９】
実施例３
図８に示すコイルを製造した。板状(２６ｍｍｘ１２ｍｍ、厚さ１ｍｍ）の透磁性材料（株式会社オータマ製の７８％パーマロイＰＣ）を、１２ｍｍの辺の中央で、２６ｍｍの辺に平行に折曲げて、コア板８４ａ、８４ｂを製造した。折曲げ部の外角は４０度であった。
【００８０】
図１０に示すＵ字状のフェライトコア（トミタ電機株式会社製フェライトコア  ＵＩ−２５−３５、コアの端部の幅ｓ＝６ｍｍ、厚さｒ＝６ｍｍ、Ｕ字状コアの端部間距離ｔ＝１３ｍｍ）からなるコア主体８２に、図８に示すように、直径０．２７ｍｍの被覆銅線をそれぞれコアの両端側に各３５７回巻上げ、これらを直列に接続した。
【００８１】
その後、Ｕ字状フェライトコア主体８２の両端に、前記コア板８４ａ、８４ｂを接着剤（ヘンケルジャパン株式会社製  瞬間接着剤  商品名ＬＯＣＴＩＴＥ  ４０１）で接着した。コア板８４ａと８４ｂとで構成する分割溝の幅Ｐ＝４ｍｍであった。
【００８２】
その他の構成は、実施例１の構成と同様にして、再生装置を製造した。
【００８３】
再生試験例５
再生試験例１と同様にして再生試験を行った。但し、電流は０．６Ａ(コア板８４ａ、８４ｂ間に発生する交流磁界強度＝０．０７５Ｔ）であり、掃引速度は１ｍ/秒、掃引中は磁気検知タグの表面と再生装置の分割溝８５との距離を１ｍｍに保った。結果を表６に示した。
【００８４】
次に、再生試験例１と同じゲートを使用して、磁気検知タグを順次ゲート内を通過させた。ゲートを通過させた磁気検知タグの全てがゲートで検出された。
【００８５】
実施例４
実施例３と同様の再生装置を製造した。但し、Ｕ字状フェライトコア主体８２は、３枚積層して、厚さを３ｒにした。また、コア主体８２に、直径０．３２ｍｍの被覆導線をそれぞれの両端側に各２００回巻上げ、これらを直列に接続した。
【００８６】
再生試験例６
再生試験例５と同様にして再生試験を行った。結果を表６に示した。
【００８７】
次に、再生試験例１と同じゲートを使用して、磁気検知タグを順次ゲート内を通過させた。ゲートを通過させた磁気検知タグの全てがゲートで検出された。
【００８８】
【表６】
2006195955.tif 000008
【００８９】
表６から明らかなように、再生試験例５及び再生試験例６の何れにおいても磁気検知タグの再生度は０．６以上になった。
【図面の簡単な説明】
【００９０】
【図１】本発明の磁気検知タグの再生装置の構成例を示す説明図である。
【図２】本発明の磁気検知タグの再生装置の使用例を示す説明図である。
【図３】磁気検知タグの再生状態の評価に用いる磁気特性値測定器の構成を示す説明図である。
【図４】磁気検知タグの構成の一例を示す断面図である。
【図５】磁気検知タグの検出方法を示す説明図である。
【図６】磁気検知タグの検出原理を示す説明図で、（ａ）はゲート間に形成する交流磁界の波形を示し、（ｂ）は磁気検知タグを検出したときの交流磁界の波形を示す。
【図７】従来の失効器の構成の一例を示す平面図である。
【図８】本発明の磁気検知タグの再生装置に用いるコイルの他の構成例を示す、（Ａ）は側面図、（Ｂ）は平面図である。
【図９】本発明の磁気検知タグの再生装置に用いるコアの他の例を示す側面図である。
【図１０】実施例３において用いたコアの形状を示す（Ａ）は側面図、（Ｂ）は平面図である。
【符号の説明】
【００９１】
１００    再生装置
２、９４    コア
４、８５    分割溝
６    外周面
８    内周面
Ｐ    幅
１０、９０    導線
１１０、１２０、９２ａ、９２ｂ    コイル
１２    交流電源
１６    被着物
１８    磁気検知タグ
Ｑ、Ｘ    矢印
２０    交流磁界
Ｒ    間隔
３０    測定コイル
３２    交流電源
３４    磁気検知タグ
３６    電圧測定器
４０    軟磁性体層
４２    接着剤層
４３    貫通孔
４５    硬磁性体層
４７    保護層
４８    粘着剤層
４９    剥離紙
５０、５２    ゲート
５４    磁気検知タグ
Ｙ    交流磁界
６０、６２    高調波
７０    失効器
７２    基台
７４    Ｎ極
７６    Ｓ極
８２    コア主体
８２ａ    中間部
８４ａ、８４ｂ    コア板
８６ａ、８６ｂ    折曲げ部
８８ａ、８８ｂ    先端
９４ａ、９４ｂ    突出し部
ｒ    コアの厚さ
ｓ    コアの端部の幅
ｔ    Ｕ字状コアの端部間距離
【図１】
2006195955.tif 000009
【図２】
2006195955.tif 000010
【図３】
2006195955.tif 000011
【図４】
2006195955.tif 000012
【図５】
2006195955.tif 000013
【図６】
2006195955.tif 000014
【図７】
2006195955.tif 000015
【図８】
2006195955.tif 000016
【図９】
2006195955.tif 000017
【図１０】
2006195955.tif 000018